(57)【要約】【課題】規制値をオーバーした場合に、または、自治体などから制限の指示があった場合に、ＶＯＣ及びばい煙の排出量を制限する排出規制管理システムを提供する。【解決手段】工場から排出されるＶＯＣまたはばい煙を制御する排出規制管理システムが、入力されたＶＯＣまたはばい煙の測定値と制御値記憶部から読み出した制御値とを比較する比較部と、比較部の比較した結果が、測定値が制御値より大きい場合には、工場における生産を制限状態にする通常時排出量制限制御部と、を有する常時排出規制管理装置と、警報時において工場の生産を減ずる制御情報である警報時制限情報が予め記憶されている警報時制限情報記憶部と、警報情報が入力されたことに応じて、警報時制限情報を警報時制限情報記憶部から読み出し、該読み出した警報時制限情報に基づいて工場の生産を制御する警報時排出量制限制御部と、を有する警報時排出規制管理装置と、を有する。【選択図】図１
2009199237.tif 000002
【特許請求の範囲】
【請求項１】
工場から排出されるＶＯＣまたはばい煙を制御する排出規制管理システムであって、
前記ＶＯＣまたはばい煙の測定値が入力される測定値入力部と、
前記工場から排出されるＶＯＣまたはばい煙の予め定められた制御値が記憶されている制御値記憶部と、
前記測定値入力部に入力された測定値と前記制御値記憶部から読み出した制御値とを比較する比較部と、
前記比較部の比較した結果が、前記測定値が制御値より大きい場合には、前記工場における生産を制限状態にする通常時排出量制限制御部と、
を有する常時排出規制管理装置と、
警報時において前記工場の生産を減ずる制御情報である警報時制限情報が予め記憶されている警報時制限情報記憶部と、
警報情報が入力される警報情報入力部と、
前記警報情報入力部に警報情報が入力されたことに応じて、前記警報時制限情報を前記警報時制限情報記憶部から読み出し、該読み出した警報時制限情報に基づいて工場の生産を制御する警報時排出量制限制御部と、
を有する警報時排出規制管理装置と、
を有することを特徴とすることを特徴とする排出規制管理システム。
【請求項２】
工場から排出されるＶＯＣまたはばい煙を制御する常時排出規制管理装置であって、
前記ＶＯＣまたはばい煙の測定値が入力される測定値入力部と、
前記工場から排出されるＶＯＣまたはばい煙の予め定められた制御値が記憶されている制御値記憶部と、
前記測定値入力部に入力された測定値と前記制御値記憶部から読み出した制御値とを比較する比較部と、
前記比較部の比較した結果が、前記測定値が制御値より大きい場合には、前記工場における生産を制限状態にする通常時排出量制限制御部と、
を有することを特徴とすることを特徴とする常時排出規制管理装置。
【請求項３】
前記工場は、
供給装置を介してＶＯＣが供給されるとともに、該供給されたＶＯＣ用いた生産をしており、
前記通常時排出量制限制御部が、
前記制限状態として、前記供給装置を制御して前記工場へ供給されるＶＯＣの供給量を減ずるとともに、前記工場の生産量を減ずる、
ことを特徴とする請求項２に記載の常時排出規制管理装置。
【請求項４】
前記通常時排出量制限制御部が、
前記制限状態にある場合に、前記比較部の比較した結果が、前記測定値が制限値以下になった場合には、前記工場における生産量を通常状態にする、
ことを特徴とする請求項２または請求項３に記載の常時排出規制管理装置。
【請求項５】
工場から排出されるＶＯＣまたはばい煙を制御する警報時排出規制管理装置であって、
警報時において前記工場の生産を減ずる制御情報である警報時制限情報が予め記憶されている警報時制限情報記憶部と、
警報情報が入力される警報情報入力部と、
前記警報情報入力部に警報情報が入力されたことに応じて、前記警報時制限情報を前記警報時制限情報記憶部から読み出し、該読み出した警報時制限情報に基づいて工場の生産を制御する警報時排出量制限制御部と、
を有することを特徴とすることを特徴とする警報時排出規制管理装置。
【請求項６】
前記警報時制限情報記憶部には、
前記警報の種類と前記警報時制限情報とが関連付けて記憶されており、
前記警報情報入力部には、
少なくとも警報の種類を含む前記警報時警報情報が入力され、
前記警報時排出量制限制御部が、
前記警報情報入力部に警報情報が入力されたことに応じて、該入力された警報情報に含まれる警報の種類が一致する警報時制限情報を前記警報時制限情報記憶部から読み出し、該読み出した警報時制限情報に基づいて工場の生産を制御する、
ことを特徴とする請求項５に記載の警報時排出規制管理装置。
【請求項７】
前記警報時排出規制管理装置が、
解除情報が入力される解除情報入力部、
を有し、
前記警報時排出量制限制御部が、
前記解除情報入力部に解除情報が入力されたことに応じて、前記警報時制限情報に基づいた工場の生産を解除する、
ことを特徴とする請求項５または請求項６のいずれかに記載の警報時排出規制管理装置。
【請求項８】
前記警報時排出規制管理装置が、
前記ＶＯＣまたはばい煙の測定値が入力さる測定値入力部と、
前記測定値の履歴が記憶される排出量履歴記憶部と、
前記測定値入力部に入力された測定値を前記排出量履歴記憶部に記憶させる測定値登録部と、
を有することを特徴とする請求項５から請求項７のいずれかに記載の警報時排出規制管理装置。
【請求項９】
前記警報時排出規制管理装置が、
前記排出量履歴記憶部に記憶された測定値に基づいて、測定値に対する対策結果を出力する制限結果出力部、
を有することを特徴とする請求項８に記載の警報時排出規制管理装置。
【請求項１０】
工場から排出されるＶＯＣまたはばい煙を制御する排出規制管理システムにおいて用いられる排出規制管理方法であって、
前記ＶＯＣまたはばい煙の測定値が入力される測定値入力手順と、
前記測定値入力手順で入力された測定値と、前記工場から排出されるＶＯＣまたはばい煙の予め定められた制御値が記憶されている制御値記憶部から読み出した制御値とを比較する比較手順と、
前記比較手順の比較した結果が、前記測定値が制御値より大きい場合には、前記工場における生産を制限状態にする通常時排出量制限制御手順と、
警報情報が入力される警報情報入力手順と、
前記警報情報入力手順に警報情報が入力されたことに応じて、警報時において前記工場の生産を減ずる制御情報である警報時制限情報が予め記憶されている警報時制限情報記憶部から、前記警報時制限情報を読み出し、該読み出した警報時制限情報に基づいて工場の生産を制御する警報時排出量制限制御手順と、
を有することを特徴とすることを特徴とする排出規制管理方法。
【請求項１１】
工場から排出されるＶＯＣまたはばい煙を制御する排出規制管理システムとしてのコンピュータに、
前記ＶＯＣまたはばい煙の測定値が入力される測定値入力手順と、
前記測定値入力手順で入力された測定値と、前記工場から排出されるＶＯＣまたはばい煙の予め定められた制御値が記憶されている制御値記憶部から読み出した制御値とを比較する比較手順と、
前記比較手順の比較した結果が、前記測定値が制御値より大きい場合には、前記工場における生産を制限状態にする通常時排出量制限制御手順と、
警報情報が入力される警報情報入力手順と、
前記警報情報入力手順に警報情報が入力されたことに応じて、警報時において前記工場の生産を減ずる制御情報である警報時制限情報が予め記憶されている警報時制限情報記憶部から、前記警報時制限情報を読み出し、該読み出した警報時制限情報に基づいて工場の生産を制御する警報時排出量制限制御手順と、
を実行させるための排出規制管理プログラム。
【発明の詳細な説明】
【技術分野】
【０００１】
本発明は、揮発性有機化合物及びばい煙の排気量制御システムの技術に関する。
【背景技術】
【０００２】
従来、大気汚染の問題が注目されている。ここで、最近は中国からの大気汚染物質の流入など、問題が深刻化している。たとえば、近年、九州北部や離島で光化学スモッグ注意報の発令が多くなっている。これは、中国から排出されるＶＯＣ（volatile organic compounds）やばい煙が日本へ流れ込んでＶＯＣ濃度が原因ではないかといわれている。このＶＯＣとは揮発性有機化合物のことであり、光化学オキシダントの原因の１つである。この光化学スモッグが発生すると、目がチカチカする・めまい・手のしびれ・意識障害・嘔吐など、人体に症状がでる。
【０００３】
このような現状に併せて、大気汚染防止法も改訂がされている。たとえば、平成１６年５月に大気汚染防止法が改正され、平成１８年４月１日から揮発性有機化合物（ＶＯＣ）の排出規制が施行されている。たとえば、大気汚染防止法の第２３条の一部には、「大気の汚染（光化学オキシダント）が著しくなり、人の健康又は生活環境に係る被害が生ずるおそれがある場合、ばいじん排出者又は揮発性有機化合物排出者に対し、ばいじんの排出量若しくは揮発性有機化合物（ＶＯＣ）の排出量の減少、施設の使用の制限その他必要な措置をとる。」とされている。
【０００４】
さらに、判断基準は各自治体で削減の数値は異なるが、ＶＯＣまたはばい煙に対して、「使用量又は排出量の○○％削減」が求められている。また、ＶＯＣ濃度測定（原則年２回）も、義務付けられている。たとえば、減少量の判断基準は各自治体で異なるが、「使用量削減又は排出量削減の○○％削減」が求められる。また、同法律によって、ＶＯＣ・はいじんの排出基準が施設毎に設けられている。
【０００５】
また、ばい煙発生施設には、ばい煙測定が義務とされている。たとえば、ばい煙測定義務として、排出量により、２回／年〜１回／２ヶ月と義務付けられている。なお、総量規制基準が適用されている施設につては常時測定が義務付けられている。
【０００６】
このように、近年、工場などの施設においても、ＶＯＣ及びばい煙の排出量が規制されてきている（たとえば、図４参照）。そこで、工場などを有する企業も、これらに対して、その対策をする必要がある。
【０００７】
ここで、土壌のＶＯＣを測定し、そのデータをフィードバックする装置が知られている。また、揮発性有機化合物及びばい煙を測定して監視するシステムが知られている（例えば、特許文献１から３参照）。
【特許文献１】特開２００２−４９７２２号公報
【特許文献２】特開２００２−１２２５８８号公報
【特許文献３】特開２００１−２１９１５６号公報
【発明の開示】
【発明が解決しようとする課題】
【０００８】
しかしながら、特許文献１から３に示すシステムにあっては、工場などの事業所全体の、ＶＯＣ及びばい煙の排出量を監視し、制限することはできないという問題がある。
また、特許文献１から３に示すシステムにあっては、監視はするものの、規制値をオーバーした場合に、または、光化学オキシダントの緊急時発令などの制限の指示が自治体などからあった場合に、ＶＯＣ及びばい煙を制御するということは行っていなかった。そのため、特許文献１から３に示すシステムにあっては、規制値をオーバーした場合に、または、自治体から制限の指示があった場合に、揮発性有機化合物及びばい煙を制御することができないという問題があった。
【０００９】
本発明は、このような事情に鑑みてなされたもので、その目的は、規制値をオーバーした場合に、または、自治体などから制限の指示があった場合に、揮発性有機化合物及びばい煙の排出量を制限する排出規制管理システムを提供することにある。
【課題を解決するための手段】
【００１０】
この発明は上述した課題を解決するためになされたもので、請求項１に記載の発明は、工場から排出されるＶＯＣまたはばい煙を制御する排出規制管理システムであって、前記ＶＯＣまたはばい煙の測定値が入力される測定値入力部と、前記工場から排出されるＶＯＣまたはばい煙の予め定められた制御値が記憶されている制御値記憶部と、前記測定値入力部に入力された測定値と前記制御値記憶部から読み出した制御値とを比較する比較部と、前記比較部の比較した結果が、前記測定値が制御値より大きい場合には、前記工場における生産を制限状態にする通常時排出量制限制御部と、を有する常時排出規制管理装置と、警報時において前記工場の生産を減ずる制御情報である警報時制限情報が予め記憶されている警報時制限情報記憶部と、警報情報が入力される警報情報入力部と、前記警報情報入力部に警報情報が入力されたことに応じて、前記警報時制限情報を前記警報時制限情報記憶部から読み出し、該読み出した警報時制限情報に基づいて工場の生産を制御する警報時排出量制限制御部と、を有する警報時排出規制管理装置と、を有することを特徴とすることを特徴とする排出規制管理システムである。
【００１１】
この発明によれば、排出規制管理システムは、常時排出規制管理装置により、ＶＯＣまたはばい煙の排出量が規制値をオーバーした場合に供給装置を制御し、また、警報時排出規制管理装置により、光化学オキシダント注意報等の自治体などから制限の指示があった場合に供給装置を制御することで、ＶＯＣ及びばい煙の排出量を制限することが可能となる効果を奏する。
【００１２】
請求項２に記載の発明は、工場から排出されるＶＯＣまたはばい煙を制御する常時排出規制管理装置であって、前記ＶＯＣまたはばい煙の測定値が入力される測定値入力部と、前記工場から排出されるＶＯＣまたはばい煙の予め定められた制御値が記憶されている制御値記憶部と、前記測定値入力部に入力された測定値と前記制御値記憶部から読み出した制御値とを比較する比較部と、前記比較部の比較した結果が、前記測定値が制御値より大きい場合には、前記工場における生産を制限状態にする通常時排出量制限制御部と、を有することを特徴とすることを特徴とする常時排出規制管理装置である。
【００１３】
この発明によれば、常時排出規制管理装置が、ＶＯＣまたはばい煙の排出量が規制値をオーバーした場合に供給装置を制御することで、ＶＯＣ及びばい煙の排出量を制限することが可能となる効果を奏する。
【００１４】
請求項３に記載の発明は、前記工場は、供給装置を介してＶＯＣが供給されるとともに、該供給されたＶＯＣ用いた生産をしており、前記通常時排出量制限制御部が、前記制限状態として、前記供給装置を制御して前記工場へ供給されるＶＯＣの供給量を減ずるとともに、前記工場の生産量を減ずる、ことを特徴とする請求項２に記載の常時排出規制管理装置である。
【００１５】
この発明によれば、常時排出規制管理装置が、ＶＯＣまたはばい煙の排出量が規制値をオーバーした場合に、前記工場へ供給されるＶＯＣの供給量を減ずるとともに、前記ＶＯＣを用いた工場の生産量を減ずることにより、ＶＯＣ及びばい煙の排出量を制限することが可能となる効果を奏する。
【００１６】
請求項４に記載の発明は、前記通常時排出量制限制御部が、前記制限状態にある場合に、前記比較部の比較した結果が、前記測定値が制限値以下になった場合には、前記工場における生産量を通常状態にする、ことを特徴とする請求項２または請求項３に記載の常時排出規制管理装置である。
【００１７】
この発明によれば、常時排出規制管理装置が、制限状態にある場合に、前記測定値が制限値以下になった場合には、生産量を通常状態に戻すことができるという効果を奏する。
【００１８】
請求項５に記載の発明は、工場から排出されるＶＯＣまたはばい煙を制御する警報時排出規制管理装置であって、警報時において前記工場の生産を減ずる制御情報である警報時制限情報が予め記憶されている警報時制限情報記憶部と、警報情報が入力される警報情報入力部と、前記警報情報入力部に警報情報が入力されたことに応じて、前記警報時制限情報を前記警報時制限情報記憶部から読み出し、該読み出した警報時制限情報に基づいて工場の生産を制御する警報時排出量制限制御部と、を有することを特徴とすることを特徴とする警報時排出規制管理装置である。
【００１９】
この発明によれば、警報時排出規制管理装置が、光化学オキシダント注意報等の自治体などから制限の指示があった場合に供給装置を制御することで、ＶＯＣ及びばい煙の排出量を制限することが可能となる効果を奏する。
【００２０】
請求項６に記載の発明は、前記警報時制限情報記憶部には、前記警報の種類と前記警報時制限情報とが関連付けて記憶されており、前記警報情報入力部には、少なくとも警報の種類を含む前記警報時警報情報が入力され、前記警報時排出量制限制御部が、前記警報情報入力部に警報情報が入力されたことに応じて、該入力された警報情報に含まれる警報の種類が一致する警報時制限情報を前記警報時制限情報記憶部から読み出し、該読み出した警報時制限情報に基づいて工場の生産を制御する、ことを特徴とする請求項５に記載の警報時排出規制管理装置である。
【００２１】
この発明によれば、警報時排出規制管理装置が、警報の種類毎に、ＶＯＣ及びばい煙の排出量を制限することが可能となる効果を奏する。
【００２２】
請求項７に記載の発明は、前記警報時排出規制管理装置が、解除情報が入力される解除情報入力部、を有し、前記警報時排出量制限制御部が、前記解除情報入力部に解除情報が入力されたことに応じて、前記警報時制限情報に基づいた工場の生産を解除する、ことを特徴とする請求項５または請求項６のいずれかに記載の警報時排出規制管理装置である。
【００２３】
この発明によれば、警報時排出規制管理装置が、解除情報が入力されたことに応じて、警報時制限情報に基づいた工場の生産の削減を解除することができるという効果を奏する。
【００２４】
請求項８に記載の発明は、前記警報時排出規制管理装置が、前記ＶＯＣまたはばい煙の測定値が入力さる測定値入力部と、前記測定値の履歴が記憶される排出量履歴記憶部と、前記測定値入力部に入力された測定値を前記排出量履歴記憶部に記憶させる測定値登録部と、を有することを特徴とする請求項５から請求項７のいずれかに記載の警報時排出規制管理装置である。
【００２５】
この発明によれば、警報時排出規制管理装置が、ＶＯＣまたはばい煙の測定値の履歴を記憶することができるという効果を奏する。
【００２６】
請求項９に記載の発明は、前記警報時排出規制管理装置が、前記排出量履歴記憶部に記憶された測定値に基づいて、測定値に対する対策結果を出力する制限結果出力部、を有することを特徴とする請求項８に記載の警報時排出規制管理装置である。
【００２７】
この発明によれば、警報時排出規制管理装置が、ＶＯＣまたはばい煙の測定値の履歴に基づいて、対策結果を出力することができるという効果を奏する。
【００２８】
請求項１０に記載の発明は、工場から排出されるＶＯＣまたはばい煙を制御する排出規制管理システムにおいて用いられる排出規制管理方法であって、前記ＶＯＣまたはばい煙の測定値が入力される測定値入力手順と、前記測定値入力手順で入力された測定値と、前記工場から排出されるＶＯＣまたはばい煙の予め定められた制御値が記憶されている制御値記憶部から読み出した制御値とを比較する比較手順と、前記比較手順の比較した結果が、前記測定値が制御値より大きい場合には、前記工場における生産を制限状態にする通常時排出量制限制御手順と、警報情報が入力される警報情報入力手順と、前記警報情報入力手順に警報情報が入力されたことに応じて、警報時において前記工場の生産を減ずる制御情報である警報時制限情報が予め記憶されている警報時制限情報記憶部から、前記警報時制限情報を読み出し、該読み出した警報時制限情報に基づいて工場の生産を制御する警報時排出量制限制御手順と、を有することを特徴とすることを特徴とする排出規制管理方法である。
【００２９】
請求項１１に記載の発明は、工場から排出されるＶＯＣまたはばい煙を制御する排出規制管理システムとしてのコンピュータに、前記ＶＯＣまたはばい煙の測定値が入力される測定値入力手順と、前記測定値入力手順で入力された測定値と、前記工場から排出されるＶＯＣまたはばい煙の予め定められた制御値が記憶されている制御値記憶部から読み出した制御値とを比較する比較手順と、前記比較手順の比較した結果が、前記測定値が制御値より大きい場合には、前記工場における生産を制限状態にする通常時排出量制限制御手順と、警報情報が入力される警報情報入力手順と、前記警報情報入力手順に警報情報が入力されたことに応じて、警報時において前記工場の生産を減ずる制御情報である警報時制限情報が予め記憶されている警報時制限情報記憶部から、前記警報時制限情報を読み出し、該読み出した警報時制限情報に基づいて工場の生産を制御する警報時排出量制限制御手順と、を実行させるための排出規制管理プログラムである。
【発明の効果】
【００３０】
この発明によれば、工場から排出されるＶＯＣまたはばい煙を制御する排出規制管理システムが、工場から排出されるＶＯＣまたはばい煙の予め定められた制御値が記憶されている制御値記憶部と、入力されたＶＯＣまたはばい煙の測定値と制御値記憶部から読み出した制御値とを比較する比較部と、比較部の比較した結果が、測定値が制御値より大きい場合には、工場における生産を制限状態にする通常時排出量制限制御部と、を有する常時排出規制管理装置と、警報時において工場の生産を減ずる制御情報である警報時制限情報が予め記憶されている警報時制限情報記憶部と、警報情報が入力されたことに応じて、警報時制限情報を警報時制限情報記憶部から読み出し、該読み出した警報時制限情報に基づいて工場の生産を制御する警報時排出量制限制御部と、を有する警報時排出規制管理装置と、を有することにより、排出規制管理システムは、常時排出規制管理装置により、規制値をオーバーした場合に供給装置を制御し、また、警報時排出規制管理装置により、光化学オキシダント注意報等の自治体などから制限の指示があった場合に供給装置を制御することで、ＶＯＣ及びばい煙の排出量を制限することが可能となる効果を奏する。
【発明を実施するための最良の形態】
【００３１】
以下、図面を参照して、本発明の実施の形態について説明する。図１は、この発明の一実施形態による排出規制管理システム１が適用される一例としての工場の構成を示す概略ブロック図である。
【００３２】
図１に示す一例としての工場は、その工場施設として、ＶＯＣ貯蔵施設５０と、ＶＯＣ使用工場５１と、ボイラー５３と、ＶＯＣ又は燃料貯蔵施設５２と、電磁弁１５と１６、流量計１７と１８、ＶＯＣ測定装置１０と１１と１２、ばい煙測定装置１３、および、排出規制管理システム１を有している。
【００３３】
ＶＯＣ又は燃料貯蔵施設５２は、内部にＶＯＣ又は燃料を貯蔵している。電磁弁１６は、流量計１８を介して、ＶＯＣ又は燃料貯蔵施設５２に貯蔵されているＶＯＣ又は燃料を、ボイラー５３に供給する。また、この電磁弁１６は、排出規制管理システム１から入力される制御に基づいて、その電磁弁を開閉し、ボイラー５３に供給するＶＯＣ又は燃料の供給量を制御する。
【００３４】
流量計１８は、電磁弁１６を介してボイラー５３に供給されるＶＯＣ又は燃料の供給量を計測し、計測した供給量を流量値として、排出規制管理システム１に出力する。ボイラー５３は、供給されたＶＯＣ又は燃料により、発熱または発電し、発熱した熱または発電した電力（電気）を、ＶＯＣ使用工場に供給する。
【００３５】
ＶＯＣ測定装置１２は、ＶＯＣ又は燃料貯蔵施設５２が排出するＶＯＣを測定し、測定したＶＯＣの値（量）を、測定値として排出規制管理システム１に出力する。ばい煙測定装置１３は、ボイラー５３が排出するばい煙を測定し、測定したばい煙の値（量）を、測定値として排出規制管理システム１に出力する。
【００３６】
ＶＯＣ貯蔵施設５０は、内部にＶＯＣを貯蔵している。電磁弁１５は、流量計１７を介して、ＶＯＣ貯蔵施設５０に貯蔵されているＶＯＣを、ＶＯＣ使用工場５１に供給する。また、この電磁弁１５は、排出規制管理システム１から入力される制御に基づいて、その電磁弁を開閉し、ＶＯＣ使用工場５１に供給するＶＯＣの供給量を制御する。
【００３７】
流量計１７は、電磁弁１５を介してＶＯＣ使用工場５１に供給されるＶＯＣの供給量を計測し、計測した供給量を流量値として、排出規制管理システム１に出力する。ＶＯＣ使用工場５１は、供給されたＶＯＣと、ボイラー５３から供給された熱または電力（電気）に基づいて、生産をする。
【００３８】
ＶＯＣ測定装置１０は、ＶＯＣ貯蔵施設５０が排出するＶＯＣを測定し、測定したＶＯＣの値（量）を、測定値として排出規制管理システム１に出力する。ＶＯＣ測定装置１１は、ＶＯＣ使用工場５１が排出するＶＯＣを測定し、測定したＶＯＣの値（量）を、測定値として排出規制管理システム１に出力する。
【００３９】
ＶＯＣ使用工場５１は、電磁弁１５および１６を介して、ＶＯＣが供給されるとともに、該供給されたＶＯＣを使用する１つまたは複数の生産ラインを有している。ＶＯＣ使用工場５１は、排出規制管理システム１により制御されており、排出規制管理システム１により、その生産量または生産ラインの運転を制御されている。また、ボイラー５３は、排出規制管理システム１により制御されており、排出規制管理システム１により、その運転、および、発熱量または発電量が制御せれている。
【００４０】
なお、上記において、電磁弁１５または１６は、電磁弁を開閉するものとして説明したが、これに限られるものではなく、ポンプ装置であってもよく、ポンプ装置の回転を制御することにより、供給量を制御してもよい。
【００４１】
排出規制管理システム１は、ＶＯＣまたはばい煙の、工場からの排出量を制御する制御装置である。この排出規制管理システム１は、たとえば、コンピュータであり、周辺機器として入力装置、表示装置等（いずれも図示せず）が接続される。ここで、入力装置とはキーボード、マウス等の入力デバイスのことをいう。表示装置とはＣＲＴ（Ｃａｔｈｏｄｅ  Ｒａｙ  Ｔｕｂｅ）や液晶表示装置等のことをいう。
【００４２】
この排出規制管理システム１は、ＶＯＣおよびばい煙の排気量、つまり、ＶＯＣ測定装置１０と１１と１２、ばい煙測定装置１３から入力された測定値を連続して内部に記録する。また、排出規制管理システム１は、入力された測定値が、法規制値を超えた場合、または、光化学オキシダント注意報等の発令時の場合には、工場から排出されるＶＯＣおよびばい煙の排出量が低減されるように工場を制御する。
【００４３】
たとえば、排出規制管理システム１は、電磁弁１５、１６などの供給装置を、供給量を減ずるように制御することで、ＶＯＣおよびばい煙の排出量を抑制する。なお、ここでは、供給装置として電磁弁を用いて説明したが、これに限られるものではなく、供給装置としてポンプ装置であってもよい。この場合、排出規制管理システム１は、ＶＯＣ測定装置１０〜１２と、このＶＯＣ測定装置１０〜１２の出力に基づいて、ポンプ装置のポンプ回転を制御する。
【００４４】
また、この排出規制管理システム１は、一例としては、工場をその適用範囲として制御し、その排出量に対する届出、届出のための書類作成または書類作成のためのデータ生成などの処理を実行する。たとえば、排出規制管理システム１は、光化学オキシダント注意報等の発令時の場合には、光化学オキシダント注意報等の発令時において、工場が低減したＶＯＣおよびばい煙の排出量の結果を、対策結果として出力する。この対策結果は、予め定められた書類の形式であってもよいし、データの形式であってもよい。なお、出力形式がデータである場合には、人が、そのデータに基づいて、書類を作成することが可能である。なお、この届出とは、光化学オキシダント注意報等の発令時の場合などにおいて、工場がＶＯＣおよびばい煙の排出量を削減したことを示すために、自治体などに提出する必要がある届出である。
【００４５】
また、排出規制管理システム１には、たとえば、自治体などから発令される情報であって、光化学オキシダント注意報等の発令などを示す制御情報、また、その解除を示す解除情報が入力される。排出規制管理システム１は、解除情報が入力されたことに応じて、制限を解除する。
【００４６】
上記に説明した制御情報および解除情報は、自治体の通信端末から通信網を介して、排出規制管理システム１に直接に入力されるようにしてもよい。また、自治体からは、電話、メール、ＦＡＸまたは拡声器などにより、光化学オキシダント注意報等の発令またはその解除が工場に伝達され、工場の作業員が、入力装置を用いて排出規制管理システム１に、制御情報または解除情報を入力するようにしてもよい。また、自治体ではなく、他の機関から、入力されるようにしてもよい。
【００４７】
なお、たとえば、排出規制管理システム１と、電磁弁１５と１６、流量計１７と１８、ＶＯＣ測定装置１０と１１と１２、および、ばい煙測定装置１３とは、それぞれ、通信網を介して接続されている。この通信網とは、たとえば、ローカルネットワークやインターネット網、専用線である。また、この通信網でなく、制御線などであってもよい。
【００４８】
＜排出規制管理システム１の構成＞
次に、図２を用いて、排出規制管理システム１の一例としての構成について説明する。なお、同図において図１の各部に対応する部分には同一の符号を付け、その説明を省略する。この排出規制管理システム１は、常時排出規制管理装置２と、警報時排出規制管理装置３と、履歴部４とを有する。同図２を用いて、常時排出規制管理装置２と、警報時排出規制管理装置３と、履歴部４との、一例としての構成について説明する。
【００４９】
＜常時排出規制管理装置２の構成＞
まず、常時排出規制管理装置２の構成について説明する。この常時排出規制管理装置２は、制御値記憶部２８と、通常時制限情報記憶部２９と、測定値入力部２１と、比較部２２と、通常時排出量制限制御部２３とを有する。
【００５０】
制御値記憶部２８には、工場から排出されるＶＯＣまたはばい煙の予め定められた制御値が記憶されている。この制御値とは、工場に対して法的に予め定められている規制値ないし排出基準に基づいて定めらており、少なくとも、規制値ないし排出基準よりも小さな値である。たとえば、制御値の値は、規制値の８０％の値などである。
【００５１】
上記に説明した排出基準は、全国的に適用される一般排出基準がある。なお、特定地域に限り、かつ、新設施設に限り適用される特別排出基準がある。たとえば、次のような排出基準がある。なお、上記に説明した制御値は、少なくとも、これらの値を満たすように設定されている。
【００５２】
・ＳＯｘ量＝Ｋ×１０−３×Ｈｅ２（ｍ３／ｈ）
（ここで、Ｈｅ：有効煙突高さ、Ｋ：３．０〜１７．５（地域によって異なる係数））
・ばいじん：０．３ｇ／Ｎｍ３
・有害物質の排出基準など
【００５３】
通常時制限情報記憶部２９には、ＶＯＣまたはばい煙の排出量が制御値を超えた場合に、工場の生産を減ずる制御情報である通常時制限情報が予め記憶されている。この通常時制限情報は、たとえば、ＶＯＣ使用工場５１の生産を減ずるようにする制御する情報、ボイラー５３の発熱量および発電量を減ずるようにする制御する情報、電磁弁１５と１６とを介した供給量を減ずるように制御する情報、を含む。
【００５４】
測定値入力部２１には、ＶＯＣ測定装置１０、１１、１２またはばい煙測定装置１３から、ＶＯＣまたはばい煙の測定値が入力される。
【００５５】
比較部２２は、測定値入力部２１に入力された測定値と制御値記憶部２８から読み出した制御値とを比較する。なお、測定値入力部２１にＶＯＣ測定装置１０、１１、１２またはばい煙測定装置１３などの複数の測定値が入力される場合には、比較部２２は、測定値入力部２１に入力された複数の測定値を加算し、工場全体の測定値を算出し、算出した測定値と制御値記憶部２８から読み出した制御値とを比較する。
【００５６】
通常時排出量制限制御部２３は、比較部２２の比較した結果が、測定値が制御値より大きい場合には、ＶＯＣ使用工場５１における生産を制限状態にする。また、通常時排出量制限制御部２３は、制限状態として、電磁弁１５および１６を制御してＶＯＣ使用工場５１およびボイラー５３へ供給されるＶＯＣの供給量を減ずるとともに、ＶＯＣを用いた生産ラインの生産量を減ずるなどにより、ＶＯＣ使用工場５１およびボイラー５３の生産量を減ずる。また、通常時排出量制限制御部２３は、制限状態として、工場内、施設内、または、施設近隣に拡声器により警報を発令する。
【００５７】
また、通常時排出量制限制御部２３は、比較部２２の比較した結果が、測定値が制御値より大きい場合には、通常時制限情報記憶部２９から通常時制限情報を読み出し、該読み出した通常時制限情報に基づいて、工場を制御する。たとえば、通常時排出量制限制御部２３は、通常時制限情報に基づいて、ＶＯＣ使用工場５１の生産を減じ、ボイラー５３の発熱量および発電量を減じ、電磁弁１５と１６とを介した供給量を減ずる。
【００５８】
また、通常時排出量制限制御部２３は、制限状態にある場合に、比較部２２の比較した結果が、測定値が制限値以下になった場合には、工場における生産量を通常状態にする。
【００５９】
また、通常時排出量制限制御部２３は、比較部２２の比較した結果が、測定値が制御値より大きい場合には、工場における生産を制限状態にするとともに、制限状態にしたことを示す信号を後述する履歴部４の制限結果出力部４４に出力する。また、通常時排出量制限制御部２３は、制限状態にある場合に、比較部２２の比較した結果が、測定値が制限値以下になった場合には、工場における生産量を通常状態にするとともに、通常状態にしたことを示す信号を後述する履歴部４の制限結果出力部４４に出力する。
【００６０】
＜警報時排出規制管理装置３の構成＞
次に、警報時排出規制管理装置３の構成について説明する。この警報時排出規制管理装置３は、警報時制限情報記憶部３９と、警報情報入力部３１と、解除情報入力部３２と、警報時排出量制限制御部３３とを有する。
【００６１】
警報時制限情報記憶部３９には、警報時において工場の生産を減ずる制御情報である警報時制限情報が予め記憶されている。また、警報時制限情報記憶部３９には、警報の種類と警報時制限情報とが関連付けて記憶されている。この警報時制限情報とは、たとえば、通常時制限情報と同様に、ＶＯＣ使用工場５１の生産を減ずるようにする制御する情報、ボイラー５３の発熱量および発電量を減ずるようにする制御する情報、電磁弁１５と１６とを介した供給量を減ずるように制御する情報、を含む。なお、警報の種類に応じて、警報時制限情報は、たとえば、制御する量などが異なる。
【００６２】
警報情報入力部３１には、警報情報が入力される。また、警報情報入力部３１には、少なくとも警報の種類を含む警報時警報情報が入力される。解除情報入力部３２には、解除情報が入力される。
【００６３】
警報時排出量制限制御部３３は、警報情報入力部３１に警報情報が入力されたことに応じて、警報時制限情報を警報時制限情報記憶部３９から読み出し、該読み出した警報時制限情報に基づいて工場の生産を制御する。また、警報時排出量制限制御部３３は、警報情報入力部３１に警報情報が入力されたことに応じて、該入力された警報情報に含まれる警報の種類が一致する警報時制限情報を警報時制限情報記憶部３９から読み出し、該読み出した警報時制限情報に基づいて工場の生産を制御する。
【００６４】
また、警報時排出量制限制御部３３は、解除情報入力部３２に解除情報が入力されたことに応じて、警報時制限情報に基づいた工場の生産を解除する。
【００６５】
また、警報時排出量制限制御部３３は、警報情報入力部３１に警報情報が入力されたことに応じて、警報時制限情報を警報時制限情報記憶部３９から読み出し、該読み出した警報時制限情報に基づいて工場の生産を制御するとともに、警報時制限情報に基づいて工場の生産を制御したことを示す信号を後述する履歴部４の制限結果出力部４４に出力する。また、通常時排出量制限制御部２３は、解除情報入力部３２に解除情報が入力されたことに応じて、警報時制限情報に基づいた工場の生産を解除するとともに、警報時制限情報に基づいた工場の生産を解除したことを示す信号を後述する履歴部４の制限結果出力部４４に出力する。
【００６６】
＜履歴部４の構成＞
次に、履歴部４の構成について説明する。履歴部４は、流量値入力部４１と、流用値登録部４２と、測定値登録部４３と、制限結果出力部４４と、排出量履歴記憶部４８と、流量履歴記憶部４９とを有する。
【００６７】
排出量履歴記憶部４８には、測定値の履歴が記憶される。また、この排出量履歴記憶部４８には、たとえば、時刻情報と関連付けて測定値が記憶される。流量履歴記憶部４９には、流量値の履歴が記憶される。また、この流量履歴記憶部４９には、たとえば、時刻情報と関連付けて流量値が記憶される。なお、この時刻情報とは、年、月、日、時、分、秒などの時刻に関する情報を含む情報であり、後述する計時装置により計測された時刻である。
【００６８】
測定値登録部４３は、測定値入力部２１に入力された測定値を、排出量履歴記憶部４８に記憶させる。また、測定値登録部４３は、計時装置により計測された時刻情報と関連付けて、測定値入力部２１に入力された測定値を、排出量履歴記憶部４８に記憶させる。この計時装置とは、排出規制管理システム１または履歴部４が有していてもよい。また、計時装置は、排出規制管理システム１の外部にある構成であって、ネットワークなどを通じて、排出規制管理システム１に接続されている構成であってもよい。
【００６９】
流量値入力部４１には、流量計１７および１８から、流量値が入力される。流用値登録部４２は、流量値入力部４１に入力された流量値を、流量履歴記憶部４９に記憶させる。また、流用値登録部４２は、計時装置により計測された時刻情報と関連付けて、流量値入力部４１に入力された流量値を、流量履歴記憶部４９に記憶させる。
【００７０】
制限結果出力部４４は、排出量履歴記憶部４８に記憶された測定値に基づいて、測定値に対する対策結果を出力する。また、制限結果出力部４４は、制限状態にしたことを示す信号、または、通常状態にしたことを示す信号が通常時排出量制限制御部２３から入力されたことに基づいて、排出量履歴記憶部４８から測定値を読み出すとともに、流量履歴記憶部４９から流量値を読み出し、読み出した測定値および流量値に基づいて、対策結果を出力する。
【００７１】
また、制限結果出力部４４は、警報時制限情報に基づいて工場の生産を制御したことを示す信号、または、警報時制限情報に基づいた工場の生産を解除したことを示す信号が通常時排出量制限制御部２３から入力されたことに基づいて、排出量履歴記憶部４８から測定値を読み出すとともに、流量履歴記憶部４９から流量値を読み出し、読み出した測定値および流量値に基づいて、対策結果を出力する。
【００７２】
または、制限結果出力部４４は、警報情報が警報情報入力部３１に入力されたことと、解除情報が解除情報入力部３２に入力されたことに応じて、排出量履歴記憶部４８から測定値を読み出すとともに、流量履歴記憶部４９から流量値を読み出し、読み出した測定値および流量値に基づいて、対策結果を出力する。
【００７３】
たとえば、制限結果出力部４４は、警報情報が警報情報入力部３１に入力されたことに応じて、計時装置から時刻情報を取得し警報情報入力時刻として内部の記憶部に記憶する。次に、制限結果出力部４４は、解除情報が解除情報入力部３２に入力されたことに応じて、計時装置から時刻情報を取得し解除情報入力時刻として内部の記憶部に記憶する。その後、制限結果出力部４４は、内部の記憶部から読み出した警報情報入力時刻と解除情報入力時刻との間の期間の測定値および流量値を、排出量履歴記憶部４８および流量履歴記憶部４９から読み出す。次に、制限結果出力部４４は、読み出した測定値および流量値に基づいて、排出濃度、ＶＯＣ及び燃料の使用量及び排出量を下げた際の排出濃度推移、ＶＯＣ及び燃料の削減量などの対策結果を生成し、生成した対策結果を出力する。
【００７４】
なお、制限結果出力部４４の詳細な動作は、制限状態にしたことを示す信号、または、通常状態にしたことを示す信号が通常時排出量制限制御部２３から入力された場合、警報時制限情報に基づいて工場の生産を制御したことを示す信号、または、警報時制限情報に基づいた工場の生産を解除したことを示す信号が通常時排出量制限制御部２３から入力された場合も、警報情報が警報情報入力部３１に入力され、解除情報が解除情報入力部３２に入力された場合も、同様である。
【００７５】
＜排出規制管理システム１の動作＞
次に、図３を用いて、排出規制管理システム１の一例としての動作について説明する。まず、排出量が基準値に基づいて制御値以上になった場合の排出規制管理システム１の動作について説明する。
【００７６】
まず、常時排出規制管理装置２の測定値入力部２１は、ＶＯＣ測定装置１０から１２、ばい煙測定装置１３、および、流量計１７と１８により、工場からの排気濃度および使用量（流量）を、常時測定している（ステップＳ１０２）。ここで、常時排出規制管理装置２の制御値記憶部２８には、ばい煙及びＶＯＣの法律基準値以下に制御値が予め設定されている（ステップＳ１０２）。
【００７７】
次に、常時排出規制管理装置２の比較部２２が、測定値入力部２１に入力された測定値と、制御値記憶部２８から読み出した制御値とを比較しており、入力された測定値が読み出した制御値よりも大きくなることを検出することにより、排出量の設定値オーバーを検知する（ステップＳ１０３）。
【００７８】
次に、比較部２２による排出量の設定値オーバーを検知に応じて、常時排出規制管理装置２の通常時排出量制限制御部２３が、電磁弁１５および１６を制御し、工場内におけるボイラー５３およびＶＯＣ使用工場５１へのＶＯＣ及び燃料の供給を制限するとともに、工場内および工場近隣に拡声器により警報を発令する（ステップＳ１０４）。
【００７９】
この警報により、たとえば、警報を聞いた作業員が手動でＶＯＣやばい煙の排出量を減ずるように、工場の装置を制御することも可能であるし、また、予め定められた安全な場所に退避することも可能である。なお、工場内におけるボイラー５３およびＶＯＣ使用工場５１へのＶＯＣ及び燃料の供給を制限することにより、工場内の装置へのＶＯＣ及び燃料の供給も制限される。
【００８０】
その後、常時排出規制管理装置２の比較部２２が、測定値入力部２１に入力された測定値と、制御値記憶部２８から読み出した制御値とを比較しており、入力された測定値が読み出した制御値以下になることを検出することにより、排出濃度の低下を確認する（ステップＳ１０５）。
【００８１】
次に、比較部２２による排出濃度の低下の確認に応じて、常時排出規制管理装置２の通常時排出量制限制御部２３が、電磁弁１５および１６を制御し、工場内におけるボイラー５３およびＶＯＣ使用工場５１へのＶＯＣ及び燃料の供給の制限を解除するとともに、工場内で発令した警報を解除する（ステップＳ１０６）。
【００８２】
その後、履歴部４の制限結果出力部４４は、排出濃度、ＶＯＣ及び燃料の使用量及び排出量を下げた際の排出濃度推移、ＶＯＣ及び燃料の削減量などの対策結果を生成し、生成した対策結果を出力する（ステップＳ１０７、ステップＳ１０８）。
【００８３】
次に、光化学オキシダント注意報等の発令がなされた場合の排出規制管理システム１の動作について説明する。まず、注意報・警報等、地域で定められた削減量とするＶＯＣ及び燃料の使用量を、注意報・警報等の種類と関連付けて、予め警報時制限情報記憶部３９に、記憶させて設定しておく（ステップＳ２０１）。これは、作業者が、たとえば、排出規制管理システム１の入力部により設定する。または、作業者が、排出規制管理システム１にネットワークを介して接続される端末により、設定する。
【００８４】
その後、地域の自治体などから光化学オキシダントの注意報警報が発令されることに応じて、警報時排出規制管理装置３の警報情報入力部３１に、少なくとも警報の種類を含む警報時警報情報が入力される（ステップＳ２０２）。
【００８５】
次に、警報時排出規制管理装置３の警報時排出量制限制御部３３が、警報情報入力部３１に警報情報が入力されたことに応じて、該入力された警報情報に含まれる警報の種類が一致する警報時制限情報を警報時制限情報記憶部３９から読み出し、該読み出した警報時制限情報に基づいて工場の生産を制御する。これにより、排出規制管理システム１は、注意報・警報等に設定した削減量を一括操作し（ステップＳ２０３）、たとえば、電磁弁１５および１６を制御し、工場内におけるボイラー５３およびＶＯＣ使用工場５１へのＶＯＣ及び燃料の供給を制限するとともに、工場内に警報を発令する（ステップＳ１０４）。
【００８６】
その後、地域の自治体などから光化学オキシダントの注意警報が解除されることに応じて、警報時排出規制管理装置３の解除情報入力部３２に解除情報が入力される。次に、警報時排出規制管理装置３の警報時排出量制限制御部３３は、解除情報入力部３２に解除情報が入力されたことに応じて、警報時制限情報に基づいた工場の生産を解除する（ステップＳ２０４）。
【００８７】
その後、履歴部４の制限結果出力部４４は、排出濃度、ＶＯＣ及び燃料の使用量及び排出量を下げた際の排出濃度推移、ＶＯＣ及び燃料の削減量などの対策結果を生成し、生成した対策結果を出力する（ステップＳ１０７、ステップＳ２０５）。
【００８８】
＜効果＞
以上、本実施形態を用いて説明したように、本実施形態による排出規制管理システム１は、製造工程で使用されるＶＯＣ・燃料の供給を一括管理し、光化学オキシダントの緊急時発令があった場合に、自動的にＶＯＣ供給量を減らすことで、ＶＯＣ排出量の調整ができるという効果を奏する。
また、排出規制管理システム１、連続測定の結果から法律規制がされているＶＯＣ施設の排出基準を超えた場合に、自動的に供給を抑えることができる。
【００８９】
また、排出規制管理システム１は、ＶＯＣ・ばいじんの測定を連続的に行なうことにより、調整前後の排出量が見え、どれだけ排出量が削減されたかを確認することが可能である。
また、排出規制管理システム１、供給量・連続測定の記録を自動化することにより、法定測定が不要となる効果、または、届出の作業が簡略化できるという効果を奏する。
【００９０】
また、排出規制管理システム１で用いる制御値を基準値に基づいて設定することにより、この排出規制管理システム１を用いた工場は、法規制遵守を踏まえたＶＯＣ・ばいじんの排出の管理ができ、また、管理の簡略化及び大気排出量制御を図ることが可能である。
【００９１】
なお、上記に説明した実施形態においては、ばい煙として説明したが、このばい煙とは、たとえば、SOｘ、燃焼や電気の使用に伴い発生するばいじん、燃焼、合成等の処理に伴い発生する有害物質カドニウム、塩素、フッ化水素、鉛、NOｘなどである。
【００９２】
また、上記に説明した実施形態においては、ばい煙を排出する設備（ばい煙発生設備）としてボイラーを用いて説明したが、ばい煙発生設備はボイラーに限られるものではなく、ばい煙発生設備として、たとえば、ボイラー、金属溶解炉、石油類製造加熱炉、窯業製品焼成炉、溶解炉、無機化学工業薬品、食品用反応炉、乾燥炉、廃棄物焼却炉、銅・鉛・亜鉛の精錬用焙焼炉、焼結炉、転炉、乾燥炉、ガスタービン、ディーゼル機関、ガス機関、ガソリン機関であってもよい。
【００９３】
なお、排出規制管理システム１は、ＶＯＣのみに対して、または、ばい煙のみに対して、または、ＶＯＣとばい煙とに対する処理をわけて、工場を制御するようにしてもよい。
【００９４】
なお、制御値記憶部２８、通常時制限情報記憶部２９、警報時制限情報記憶部３９、排出量履歴記憶部４８、および、流量履歴記憶部４９の記憶部は、ハードディスク装置や光磁気ディスク装置、フラッシュメモリ等の不揮発性のメモリや、ＣＤ−ＲＯＭ等の読み出しのみが可能な記憶媒体、ＲＡＭ（Ｒａｎｄｏｍ  Ａｃｃｅｓｓ  Ｍｅｍｏｒｙ）のような揮発性のメモリ、あるいはこれらの組み合わせにより構成されるものとする。
【００９５】
なお、図２における排出規制管理システム１またはその各構成は、専用のハードウェアにより実現されるものであってもよく、また、メモリおよびマイクロプロセッサにより実現させるものであってもよい。また、図２における排出規制管理システム１またはその各構成は、専用のハードウェアにより実現されるものであってもよく、また、この各構成はメモリおよびＣＰＵ（中央演算装置）により構成され、その構成の機能を実現するためのプログラムをメモリにロードして実行することによりその機能を実現させるものであってもよい。
【００９６】
また、図１または図２における排出規制管理システム１の各機能を実現するためのプログラムをコンピュータ読み取り可能な記録媒体に記録して、この記録媒体に記録されたプログラムをコンピュータシステムに読み込ませ、実行することにより排出規制管理システム１の機能による処理を行ってもよい。なお、ここでいう「コンピュータシステム」とは、ＯＳや周辺機器等のハードウェアを含むものとする。
【００９７】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００９８】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【００９９】
【図１】この発明の一実施形態による排出規制管理システム１が適用される工場の構成を示すブロック図である。
【図２】この発明の一実施形態による排出規制管理システム１の構成を示すブロック図である。
【図３】図２の排出規制管理システム１の一例としての動作を示すフローチャートである。
【図４】一例としてのＶＯＣ排出施設を示す表である。
【符号の説明】
【０１００】
１  排出規制管理システム
２  常時排出規制管理装置
３  警報時排出規制管理装置
４  履歴部
１０、１１、１２  ＶＯＣ測定装置
１３  ばい煙測定装置
１５、１６  電磁弁
１７、１８  流量計
２１  測定値入力部
２２  比較部
２３  通常時排出量制限制御部
２８  制御値記憶部
２９  通常時制限情報記憶部
３１  警報情報入力部
３２  解除情報入力部
３３  警報時排出量制限制御部
３９  警報時制限情報記憶部
４１  流量値入力部
４２  流用値登録部
４３  測定値登録部
４４  制限結果出力部
４８  排出量履歴記憶部
４９  流量履歴記憶部
５０  ＶＯＣ貯蔵施設
５１  ＶＯＣ使用工場
５２  ＶＯＣ又は燃料貯蔵施設
５３  ボイラー
【図１】
2009199237.tif 000003
【図２】
2009199237.tif 000004
【図３】
2009199237.tif 000005
【図４】
2009199237.tif 000006